(57)【要約】【課題】本発明は歯科用パノラマＸ線撮影において安価で容易に顎関節領域の濃度補正を行いパノラマＸ線写真全体の濃度を均一にして、どの部位においても解読し易いＸ線写真像が得られる装置の提供を目的とする。【解決手段】歯科用パノラマＸ線撮影では、顎関節領域の吸収が多く他の部位と比較して白くなる。この顎関節領域での管電圧、あるいは管電流の制御により濃度を補正する。これによりパノラマＸ線写真全体の濃度が均一となり、どの部位においても解読し易いパノラマＸ線写真像が得られる。【選択図】図３
2008073395.tif 000002
【特許請求の範囲】
【請求項１】
被検者の頭部を挟んで一端にＸ線を照射するためのＸ線発生器と他の一端に被検者の頭部を透過したＸ線を検知する受像部を対向配置された旋回アームが旋回してパノラマＸ線撮影を行う、所謂、歯科用パノラマＸ線撮影装置において、パノラマ撮影に際して、旋回アーム回転モータの制御パルスデータを基に、被検者の個体差によって択一的に選択可能な選択手段を備えた濃度補正手段を有することを、特徴とする歯科用パノラマＸ線撮影装置。
【請求項２】
前記選択可能な選択手段を備えた濃度補正手段が、前歯部領域に加えて特に顎関節領域の濃度補正を目的に予め設定された複数の濃度補正データを有することを、特徴とする請求項１に記載の歯科用パノラマＸ線撮影装置。
【請求項３】
前記選択可能な選択手段を備えた濃度補正手段が、濃度補正するに当たってＸ線管電圧を制御することによって行うことを、特徴とする請求項２に記載の歯科用パノラマＸ線撮影装置。
【請求項４】
前記選択可能な選択手段を備えた濃度補正手段が、濃度補正するに当たってＸ線管電流を制御することによって行うことを、特徴とする請求項２に記載の歯科用パノラマＸ線撮影装置。
【発明の詳細な説明】
【技術分野】
【０００１】
本発明は、歯科用パノラマＸ線撮影装置に関する。
【０００２】
更に詳しくは、歯科用パノラマＸ線撮影装置の濃度補正に関する。
【背景技術】
【０００３】
従来、パノラマＸ線撮影を行った場合、頸椎の影響で前歯部領域の写真濃度が不足することが公知である。この対策としてマイクロスイッチ等を用いて前歯部領域の範囲を管電圧または管電流を上げて濃度不足を補う装置は公知であった。またこれらの対策として自動露出機構等によって、撮影中時々刻々と変化する被写体を透過したＸ線量を検出して逐次Ｘ線管電圧あるいはＸ線管電流を制御し当該Ｘ線写真濃度を全体的に略一定とする方式も公知である。具体的には特許文献１に開示されているＸ線撮影装置では、制御装置内に記憶されたプログラムによりパノラマ撮影全体のシーケンスの間、アームの回転速度及び管電圧または、管電流を制御している。これによりＸ線写真濃度を均一化している。また特許文献２から４に開示されているＸ線撮影装置では、前記自動露出機構により被写体を透過したＸ線量を検出して管電圧あるいは管電流を制御することによりＸ線写真濃度を均一化している。
【特許文献１】特開昭６２−６６８４１号公報
【特許文献２】特開昭６０−２５２００号公報
【特許文献３】特開昭６０−３２３００号公報
【特許文献４】特開昭６０−５９７００号公報
【発明の開示】
【発明が解決しようとする課題】
【０００４】
歯科用パノラマＸ線撮影において、前記した特許文献でも開示されているようにＸ線写真濃度を均一化することは、それぞれ公知のものがある。特許文献２から４で開示されている自動露出機構を使用してＸ線写真濃度を均一化するとあるが、この自動露出機構に使用されるＸ線検出器等が高価であり制御も複雑である。また、特許文献の中には、顎関節領域を主体としての濃度を変化させるという実施例は含まれていない。これは従来Ｘ線フィルム撮影が主体であったため、一般に濃度補償と言えば前歯部領域で顎関節領域は問題とはならなかった。しかし近年、デジタル化が進むにつれて従来Ｘ線フィルム上での僅かな濃度差がデジタル画像処理を行うことで、より顕著に表示される傾向にありモニター上でパノラマ画像を観察することが大半になって来ている。最近では、特に顎関節領域のＸ線の吸収が多く濃度不足になり他の部分と比較して白くなる。これにより全体として顎関節領域部分だけが白くなり解読しづらい画像となることが問題視されるようになった。また被検者の例えば大人、中人、小人等の個体差によってもその領域が変化するため一定で単一的な補償では問題がある。
【０００５】
本発明は、上記した問題点に鑑みなされたもので、特に歯科用デジタルパノラマＸ線撮影において安価で容易に顎関節領域の濃度補正を行いパノラマＸ線写真全体の濃度を均一にして、どの部位においても解読し易いＸ線写真像が得られる装置の提供を目的とする。
【課題を解決するための手段】
【０００６】
請求項１に記載の発明は、被検者の頭部を挟んで一端にＸ線を照射するためのＸ線発生器と他の一端に被検者の頭部を透過したＸ線を検出する受像部を対向配置された旋回アームが旋回して撮影を行う、所謂、歯科用パノラマＸ線撮影装置において、パノラマ撮影に際して、旋回アーム回転モータの制御パルスデータを基に、被検者の個体差によって択一的に選択可能な選択手段を備えた濃度補正手段を有することを特徴とする。
【０００７】
請求項２に記載の発明では、前記選択可能な選択手段を備えた濃度補正手段が、前歯部領域に加えて特に顎関節領域の濃度補正を目的に予め設定された複数の濃度補正データを有することを特徴とする。
【０００８】
請求項３に記載の発明では選択可能な選択手段を備えた濃度補正手段が、濃度補正するに当たってＸ線管電圧を制御することによって行うことを特徴とする。
【０００９】
請求項４に記載の発明では選択可能な選択手段を備えた濃度補正手段が、濃度補正するに当たってＸ線管電流を制御することによって行うことを特徴とする。
【発明の効果】
【００１０】
上記した歯科用パノラマＸ線撮影装置のパノラマＸ線撮影において、予め設定された複数の濃度補正データにより顎関節領域の濃度を補正することでパノラマＸ線写真全体の濃度が均一になり、どの部位においても解読し易いＸ線写真像が得られる。また被検者の例えば大人、中人、小人等の個体差によっても択一的に選択可能な選択手段により、個体差による濃度変化も補正できる。かつ安価で容易に濃度補正が可能となる。
【発明を実施するための最良の形態】
【００１１】
以下に、図面に従って本発明の実施態様について説明する。
【実施例】
【００１２】
図１は、本発明の濃度補正手段を組み込んだ歯科用パノラマＸ線撮影装置の一実施例の外観図である。図中、１は回転部、２はアーム部、３は遊動部、４はＸ線発生器部、５はカセッテホルダー部を示している。本装置はパノラマ撮影の撮影開始から撮影終了までのアームの回転をパルス制御している。このパルス制御によりどの部位を撮影しているかを特定することが可能となる。即ち、顎関節領域７あるいは前歯部領域６の特定が可能となる。
【００１３】
図２は撮影開始から撮影終了までのアーム回転速度を示した一実施例である。図からわかるように本装置は、撮影開始から撮影終了の間、パルス制御によりアーム回転速度が一定となるよう制御しており、これにより前歯部領域あるいは、顎関節領域等の部位の特定が可能となっている。また図３（ａ）〜（ｃ）は本発明の濃度補正手段の模式図であり、図３（ａ）は被検者が大人の場合の濃度補正手段を示した一実施例である。図３（ｂ）は被検者が中人の場合、また図３（ｃ）は被検者が小人の場合のそれぞれ濃度補正手段を示したものである。図３（ａ）、即ち大人の場合の濃度補正では撮影開始から撮影終了まで例えば１２ｓｅｃとして、前歯部領域６（中心）の濃度補正範囲を挟んで左右対称に顎関節領域７の濃度補正範囲がある。これはパノラマＸ線写真上の前歯部領域６、また左右の顎関節領域７と略一致するようになっている。本発明の濃度補正手段として顎関節領域７では設定管電圧を例えば３ｋＶ上昇させ、前歯部領域６では例えば５ｋＶ上昇させている。また図３（ｂ）、即ち中人の場合も同様、撮影時間は例えば１２ｓｅｃとし顎関節領域７で設定管電圧を例えば２ｋＶ上昇させ、前歯部領域６で例えば３ｋＶ上昇させている。ここで図からもわかるように顎関節領域７が大人と比べて前歯部領域６を中心として、内側へ少し入っている。また図３（ｃ）、即ち小人の場合も同様、撮影時間は例えば１２ｓｅｃとし顎関節領域７で例えば１ｋＶ上昇させ、前歯部領域６では設定管電圧のままで変化していない。これは小人のため頸椎の影響による前歯部領域６でのＸ線の吸収が少ないため設定管電圧には変化を与えていない。ここでも図から顎関節領域７が大人及び中人と比べて内側へ入っている。このように大人、中人、続いて小人と被検者の個体差により顎関節領域７が前歯部領域６を中心として、内側へ入っている。尚、図４は、濃度補正手段がＸ線管電流による制御の一実施例で、図４（ａ）、（ｂ）及び（ｃ）は、それぞれ図３（ａ）、（ｂ）及び（ｃ）に対応している。図４（ａ）は、被検者が大人の場合で顎関節領域７で例えば設定管電流を１ｍＡ上昇させ、前歯部領域６で例えば２ｍＡ上昇させている。図４（ｂ）は、中人の場合で顎関節領域７で例えば設定管電流を０．５ｍＡ上昇させ、前歯部領域６で例えば１ｍＡ上昇させている。また図４（ｃ）は、小人の場合で顎関節領域７で例えば設定管電流を０．２ｍＡ上昇させている。
【００１４】
図３（ａ）〜（ｃ）及び図４（ａ）〜（ｃ）からわかるように前歯部領域６はもちろんのこと顎関節領域７でのＸ線の吸収により濃度不足になることを補償するために顎関節領域７で設定管電圧あるいは設定管電流を必要に応じて上昇させている。これにより被検者の個体差があっても顎関節領域７の濃度が改善され特にデジタルパノラマＸ線写真全体の濃度が均一化され、どの部位においても解読し易いＸ線写真像が得られる。尚、図３及び図４から明らかなように大人、中人、小人のように個体差によって左右顎関節間の寸法が異なるため、Ｘ線の照射範囲は、撮影必要範囲に従って変化している。
【００１５】
また自動露出機構による濃度の均一化では、自動露出機構を構成するＸ線検出器が高価であり、またその制御が複雑になる。それに引き換え本発明による濃度補正手段では安価で容易にすぐれた濃度補正が可能となる。
【図面の簡単な説明】
【００１６】
【図１】本発明の濃度補正手段を組み込んだ歯科用パノラマＸ線撮影装置の一実施例            の外観図
【図２】本発明の濃度補正手段を組み込んだ歯科用パノラマＸ線撮影装置のアーム回            転速度と撮影時間の関係の一実施例を示した図
【図３】（ａ）は本発明の大人の場合の濃度補正手段である管電圧と撮影時間の関係            の一実施例を示した図           （ｂ）は本発明の中人の場合の濃度補正手段である管電圧と撮影時間の関係            の一実施例を示した図           （ｃ）は本発明の小人の場合の濃度補正手段である管電圧と撮影時間の関係            の一実施例を示した図
【図４】（ａ）は本発明の大人の場合の濃度補正手段である管電流と撮影時間の関係            の一実施例を示した図           （ｂ）は本発明の中人の場合の濃度補正手段である管電流と撮影時間の関係            の一実施例を示した図           （ｃ）は本発明の小人の場合の濃度補正手段である管電流と撮影時間の関係            の一実施例を示した図
【符号の説明】
【００１７】
１  回転部
２  アーム部
３  遊動部
４  Ｘ線発生器部
５  カセッテホルダー部
６  前歯部領域
７  顎関節領域
【図１】
2008073395.tif 000003
【図２】
2008073395.tif 000004
【図３】
2008073395.tif 000005
【図４】
2008073395.tif 000006